(57)【要約】  【課題】手すり部の傾斜角及び脚部の据え付け位置を各施工現場で容易に調整可能とし、据付施工の自由度の高い手すりを工場でユニット生産できるようにする。  【解決手段】手すり１は据え付け部Ｂ上に立設される脚部２と、該脚部２に取り付けられる手すり部４とから成り、該手すり部４の背面にレール部６を設ける。該レール部６に沿って前記脚部２が任意に移動して据え付け位置を固定できるように形成し、該脚部２は前記手すり部４に対して任意の角度に回動可能に設ける。脚部２の上端部には水平ピン１１を介して摺動子３を回動可能に枢着し、該摺動子３は前記レール部６に摺動可能に嵌合する。斯くして、前記脚部２に対し前記手すり部４は傾斜角の調整が可能となり、且つ、該手すり部４に対し脚部２は据え付け位置の調整が可能となる。【選択図】  図１
2005314990.tif 000002
【特許請求の範囲】
【請求項１】
据え付け部上に配設される手すりであって、該手すりは、据え付け部上に立設される脚部と、該脚部に取り付けられる手すり部とから成り、且つ、該手すり部は、その背面にレール部が設けられ、該レール部に沿って前記脚部が該脚部上端部に設けられている摺動子を介して、任意に移動して据え付け位置を固定できるように形成すると共に、該脚部は前記手すり部に対して任意の角度に回動することができるように構成されていることを特徴とする手すり。
【請求項２】
上記脚部の上端部に、水平ピンを介して摺動子が回動可能に枢着されていると共に、該摺動子が、上記レール部に沿って任意の位置に移動して、前記脚部の位置を決定できるように構成されていることを特徴とする請求項１記載の手すり。
【請求項３】
上記レール部は、上記手すり部背面の両側内壁面の長手方向に形成された一対の摺動用凹溝から成ることを特徴とする請求項１又は２記載の手すり。
【請求項４】
上記摺動子は一対の摺動子片を有し、該摺動子片の上端部には、上記レール部の摺動用凹溝に摺動可能に嵌合する嵌合部が突設されていることを特徴とする請求項１，２又は３記載の手すり。
【請求項５】
上記一対の摺動子片は、相互の間隔を調整するボルトが、該一対の摺動子片の少なくとも一方に螺着されており、該ボルトの締付動作によって前記一対の摺動子片の間隔を拡げて、該摺動子片に設けられている嵌合部を前記レール部に密嵌して上記脚部の位置を固定し、更に前記ボルトの弛緩動作によって前記摺動子片のレ−ル部に対する前記固定を解除して、該摺動子片は該レール部の任意の個所にて脱着自在に構成されると共に、該摺動子片が該レ−ル部に沿って任意に摺動できるように形成されていることを特徴とする請求項１，２，３又は４記載の手すり。
【請求項６】
上記摺動子の一対の摺動子片を枢着している上記水平ピンにはコイルスプリングが卷装されて該一対の摺動子片を相互に外方へ付勢して、上記ボルトの螺回動作に追随して前記一対の摺動子片が上下略平行して移動できるように構成されていることを特徴とする請求項１，２，３，４又は５記載の手すり。
【発明の詳細な説明】
【技術分野】
【０００１】
本発明は、利用者の歩行を補助する手すりに関するものであり、特に、傾斜面を有する据え付け部上に設置される手すりであって、設置作業を容易に実施できるようにした手すりに関するものである。
【背景技術】
【０００２】
従来、玄関近傍に階段を設けた住宅等においては、前記階段の側部等に手すりが付設される。この種手すりは、特許文献１に記載されているように、据え付け部に立設される複数本の脚部の先端に傾斜面を形成し、該傾斜面に、回動自在の手すり挿着部を有する手すり取付具を固着すると共に、前記手すり挿着部に手すり本体を挿着して固着するようにしたものが知られている。又、特許文献２には、据え付け部上に立設される脚部と、該脚部の上端部に取り付けられる手すり部とから成り、該手すり部は前記脚部に対して一体的に固設したものが開示されている。
【特許文献１】特開２００３−３０７００７号公報（特許請求の範囲の項及び図１参照）
【特許文献２】特開平１１−１５９０９４号公報（図１参照）
【発明の開示】
【発明が解決しようとする課題】
【０００３】
特許文献１記載の手すりは、据え付け部の傾斜度に一致させるべく、各施工現場ごとに複数本の脚部先端部を斜めに切断して、所定角度の傾斜面を正確に形成する必要がある。又、該傾斜面を形成した後は、該傾斜面に手すり取付具を固着し、更に、該取付具に手すり本体を取り付けなければならないので、該手すりの設置作業が面倒であるという欠点がある。
【０００４】
又、上記特許文献２開示の手すりは、上記脚部に上記手すり部を一体的に固設しているために、前記手すりを据え付ける際は、各施工現場の据え付け部の傾斜度や寸法形状等の据え付け条件に応じて、前記脚部に対する手すり部の傾斜角、及び該脚部の手すり部に対する固定位置を決定して、各施工現場に適合した前記手すりを工場において作製している。
【０００５】
斯くして、前記手すり部の傾斜角等は各施工現場毎に異なるため、前記手すりは各施工現場毎に各別に製作されることにより、汎用性がない。
【０００６】
そこで、各施工現場毎に傾斜角等の異なる手すりを個々に製作する必要が無く、該手すりを容易に設置でき、施工自由度の高い手すりを予め工場生産できるようにするために解決すべき技術的課題が生じてくるのであり、本発明は該課題を解決することを目的とする。
【課題を解決するための手段】
【０００７】
本発明は上記目的を達成するために提案されたものであり、請求項１記載の発明は、据え付け部上に配設される手すりであって、該手すりは、据え付け部上に立設される脚部と、該脚部に取り付けられる手すり部とから成り、且つ、該手すり部は、その背面にレール部が設けられ、該レール部に沿って前記脚部が該脚部上端部に設けられている摺動子を介して、任意に移動して据え付け位置を固定できるように形成すると共に、該脚部は前記手すり部に対して任意の角度に回動することができるように構成されている手すりを提供する。
【０００８】
この構成によれば、前記脚部は、該脚部上端部に設けられている摺動子を介して、前記レール部に沿って任意の据え付け位置に移動させ、そして所定個所に固定できると共に、前記手すり部に対して任意の角度に回動できるので、前記脚部の据え付け位置、及び前記脚部に対する前記手すり部の角度（傾斜角）を各施工現場で自由に調整して手すりの据え付けが実施される。
【０００９】
請求項２記載の発明は、上記脚部の上端部に、水平ピンを介して摺動子が回動可能に枢着されていると共に、該摺動子が、上記レール部に沿って任意の位置に移動して、前記脚部の位置を決定できるように構成されている請求項１記載の手すりを提供する。
【００１０】
この構成によれば、前記レール部に沿って移動する前記摺動子が、前記水平ピンを介して該脚部の上端部に回動可能に枢着されているので、該摺動子の水平ピン回りの回動位置を変更することにより、該脚部に対する前記レール部の角度、即ち前記手すり部の傾斜角の調整を無段階で行える。
【００１１】
又、前記摺動子が前記レール部に沿って移動可能に設けられているので、該レール部に沿った任意の位置に前記摺動子を移動させて固定することにより、前記レール部に対する前記脚部の固定位置の調整を無段階で行える。
【００１２】
請求項３記載の発明は、上記レール部は、上記手すり部背面の両側内壁面の長手方向に形成された一対の摺動用凹溝から成る請求項１又は２記載の手すりを提供する。
【００１３】
この構成によれば、前記レール部が、前記手すり部背面の両側内壁面の長手方向に形成された一対の摺動用凹溝より構成されるので、前記摺動子は、その両側部が該一対の摺動用凹溝に嵌合保持された状態で、前記レ−ル部に沿って移動する。
【００１４】
請求項４記載の発明は、上記摺動子は一対の摺動子片を有し、該摺動子片の上端部には、上記レール部の摺動用凹溝に摺動可能に嵌合する嵌合部が突設されている請求項１，２又は３記載の手すりを提供する。
【００１５】
この構成によれば、前記レール部の一対の摺動用凹溝には、前記一対の摺動子片の上端部に突設した各嵌合部が夫々摺動自在に嵌合されるので、該摺動子片は該レール部に沿って自在に摺動する。
【００１６】
請求項５記載の発明は、上記一対の摺動子片は、相互の間隔を調整するボルトが、該一対の摺動子片の少なくとも一方に螺着されており、該ボルトの締付動作によって前記一対の摺動子片の間隔を拡げて、該摺動子片に設けられている嵌合部を前記レール部に密嵌して上記脚部の位置を固定し、更に前記ボルトの弛緩動作によって前記摺動子片のレ−ル部に対する前記固定を解除して、該摺動子片は該レール部の任意の個所にて脱着自在に構成されると共に、該摺動子片が該レ−ル部に沿って任意に摺動できるように形成されている請求項１，２，３又は４記載の手すりを提供する。
【００１７】
この構成によれば、前記ボルトの締付動作により、該一対の摺動子片の間の間隔が拡大し、該摺動子片の嵌合部が前記レール部の凹溝に密嵌して、該レ−ル部に沿った前記脚部の移動位置が固定される。逆に、前記ボルトの弛緩動作により、前記嵌合部の前記凹溝に対する固定が解除されるため、前記摺動子片は前記レ−ル部に沿って再び移動できるようになる。又、該摺動子片はレール部に対して任意の個所で脱着自在である。
【００１８】
請求項６記載の発明は、上記摺動子の一対の摺動子片を枢着している上記水平ピンにはコイルスプリングが卷装されて該一対の摺動子片を相互に外方へ付勢して、上記ボルトの
螺回動作に追随して前記一対の摺動子片が上下略平行して移動できるように構成されている請求項１，２，３，４又は５記載の手すりを提供する。
【００１９】
この構成によれば、前記ボルトの螺回動作、即ち締付又は弛緩動作に応じて、前記一対の摺動子片の間の間隔が拡大又は縮小するが、この場合、前記コイルスプリングにより該一対の摺動子片が互いに外方方向に付勢されているので、該一対の摺動子片は、前記ボルトの螺回動作に追随して上下略平行して移動する。
【発明の効果】
【００２０】
請求項１記載の発明は、前記脚部の据え付け位置及び前記手すり部の傾斜角の双方を任意に調整することができるので、各施工現場の据え付け部の状況に応じて、前記脚部の据え付け位置及び前記手すり部の傾斜角を最適値に設定して据え付けることができ、各施工現場における前記手すりの据え付け作業を容易迅速に行うことができる。
【００２１】
又、従来のように各施工現場毎に寸法形状の異なる手すりをその都度作製する必要がなくなり、各施工現場の据え付け条件に広く対応し得る施工自由度の高い手すりを予め工場で作製することができる。
【００２２】
請求項２記載の発明は、該脚部の水平ピン回りの回動位置を変更するだけで、該脚部の前記レール部に対する角度を変更でき、且つ、該レール部に沿って前記摺動子を移動させるだけで、該レール部に対する前記脚部の据え付け位置を変更できるので、請求項１記載の発明の効果に加えて、前記脚部の据え付け位置の調整と、前記手すり部の傾斜角の調整の双方を連続的に簡便に行うことができ、上記手すりの据え付け作業を従来に比べて効率良く実施できる。
【００２３】
請求項３記載の発明は、前記摺動子は、前記一対の凹溝により嵌合保持された状態で前記レール部に沿って移動できるので、請求項１又は２記載の発明の効果に加えて、前記摺動子を円滑に移動させることができる。又、該摺動子は前記手すり部背面側に隠れて見えないので、該手すりの外観上の体裁が良好に維持される。
【００２４】
請求項４記載の発明は、前記一対の摺動子片の上端部に突設された各嵌合部は夫々、前記レール部の各凹溝に対して相互独立に嵌合させることができるので、請求項１，２又は３記載の発明の効果に加えて、前記レール部への前記摺動子片の組付け性が向上する効果を奏する。
【００２５】
請求項５記載の発明は、前記ボルトを締付又は弛緩させるだけで、前記レール部に
対する前記脚部の固定又は固定解除が行えるので、請求項１，２，３又は４記載の発明の効果に加えて、前記レール部に対する前記脚部の固定又は固定解除を簡単に切換えることができる。又、構造面では、前記摺動子に前記ボルトを一本だけ取り付ければ良いので、部品点数が少なく構造が簡単であるというメリットがある。
【００２６】
請求項６記載の発明は、前記ボルトの螺回動作に追随して、前記一対の摺動子片が上下略平行して移動するので、請求項１，２，３，４又は５記載の発明の効果に加えて、記ボルトを螺回動作させた際に、該一対の摺動子片がガタツキを起こすことなくスムースに移動する。
【発明を実施するための最良の形態】
【００２７】
本発明は、据え付け部上に配設される手すりであって、該手すりは、据え付け部上に立設される脚部と、該脚部に取り付けられる手すり部とから成り、且つ、該手すり部は、その背面にレール部が設けられ、該レール部に沿って前記脚部が任意に移動して据え付け位
置を固定できるように形成すると共に、該脚部は前記手すり部に対して任意の角度に回動することができるように構成されていることにより実現した。
【実施例】
【００２８】
以下、本発明の一実施の形態を図１乃至図７に従って説明する。図中、１は玄関近傍の階段Ｒの据え付け部Ｂ上に配設される手すりであり、該手すり１は、耐久性及び耐候性に優れた鍛鉄により作製されている。又、該手すり１は、据え付け部Ｂ上に立設される複数の脚部２と、該脚部２の上端部に摺動子３を介して取り付けられた手すり部４とから成る。尚、該脚部２は、据え付け部Ｂに直接固定し、又は間接に固定するものとする。図示例では、据え付け部Ｂ上に直接立設されている。
【００２９】
上記手すり部４の上端部には、下方に湾曲するＳ字状の装飾湾曲部５が形成され、該装飾湾曲部５は重厚感のある意匠を呈している。又、前記手すり部４の下端部は直線状に形成され、該端部には保護キャップ１０が被冠されている。
【００３０】
上記手すり部４の断面形状は、図３に示すように、その幅方向の中央部が上方に凸となる円弧状に形成されている。又、該手すり部４の円弧状背面（下面）部にはレール部６が設けられ、該レール部６は、前記手すり部４背面の両側内壁面の長手方向に形成された一対の摺動用凹溝６ａ，６ｂから成り、該凹溝６ａ，６ｂは相互に対峙して断面コ字形に形成されている。
【００３１】
上記摺動子３は一対の摺動子片７ａ，７ｂを有し、該摺動子片７ａ，７ｂは断面逆Ｌ字形に形成されている。又、該摺動子片７ａ，７ｂの上端部には嵌合部８ａ，８ｂが突設され、該嵌合部８ａ，８ｂの先端部は略楔形状に形成されている。更に、該嵌合部８ａ，８ｂは、前記レール部６の凹溝６ａ，６ｂに摺動可能に嵌合している。斯くして、上記脚部２は、前記摺動子３の嵌合部８ａ，８ｂを介して、前記手すり部４に対しその長手方向に移動可能に設けられている。
【００３２】
図４に示すように、前記逆Ｌ字形の摺動子片７ａの垂直面部には、前記一対の摺動子片７ａ，７ｂ相互の間隔を調整変更するためのボルト９，９が螺着され、該ボルト９，９に螺入動作により、前記レール部６に沿った任意な位置に前記摺動子３が固定される。
【００３３】
而して、上記摺動子３の下方部には、図３に示すように、水平ピン１１を介して、前記脚部２の上端部が回動可能に枢着されている。又、前記水平ピン１１にはコイルスプリング１２が介装され、該コイルスプリング１２は、前記一対の摺動子片７ａ，７ｂ間に配置されている。更に、前記ボルト９，９の螺回動作に追随して、前記一対の摺動子片７ａ，７ｂが上下略平行して移動できるように、該一対の摺動子片７ａ，７ｂを相互に外方へ常時弾発付勢している。
【００３４】
上記構成において、前記摺動子片７ａに螺着されている前記ボルト９，９の螺入動作によって、記ボルト９，９の先端面で他方の前記摺動子片７ｂの側面を押圧して外方に移動させることにより、該一対の摺動子片７ａ，７ｂ間の間隔が拡大し、これに伴い該摺動子片７ａ，７ｂ上端部の嵌合部８ａ，８ｂが前記レール部６の凹溝６ａ，６ｂ内に密嵌して固定される。斯くして、該摺動子片７ａ，７ｂの下端部に連結されている脚部２，２が、選択された所定の位置に固定される。
【００３５】
尚、上記ボルト９，９の螺回動作により前記一対の摺動子片７ａ，７ｂが移動する際は、該水平ピン１１に外装したコイルスプリング１２により前記一対の摺動子片７ａ，７ｂが上下略平行して移動できるので、該摺動子片７ａ，７ｂは、前記水平ピン１１との間でガタツキ等を起こすことなく円滑に移動する。
【００３６】
次に、上記摺動子片７ａ，７ｂの固定後、前記ボルト９，９を弛緩動作させることにより、上記螺入動作とは逆の作用により、前記レール部６に対し前記摺動子３の嵌合部８ａ，８ｂの密嵌固定が解除され、該摺動子３に連結された前記脚部２は、前記手すり部４に対して移動可能な状態になる。斯くして、前記脚部２は前記レール部６に沿って任意に移動して、選択された所定の据え付け位置に固定させることができる。
【００３７】
尚、上記手すり部４，４の端部同士は、図６に示すように、連結部材１３により連結させることができる。図示例では、該連結部材１３は、上記摺動子３と類似した構造が採用されている。これを図７に従って説明すると、該連結部材１３は一対の連結片１４ａ，１４ｂを有し、該連結片１４ａ，１４ｂの上端部には、前記レール部６の凹溝６ａ，６ｂに対して摺動可能に嵌合する嵌合部１５ａ，１５ｂが突設されている。又、前記連結片１４ａには、両連結片１４ａ，１４ｂ間の間隔を変更するためのボルト１６，１６が螺着されている。そして、該ボルト１６，１６の螺入動作により、前記一対の連結片１４ａ，１４ｂ間の間隔が拡げられるため、該連結片１４ａ，１４ｂが前記レール部６の凹溝６ａ，６ｂに密嵌固定され、前記連結部材１３を介して上記手すり部４，４の端部同士が強固に連結固定される。
【００３８】
又、前述のように、上記摺動子３の下方部には水平ピン１１を介して、前記脚部２の上端部が回動可能に枢着され、該脚部２に対し前記手すり部４は、前記水平ピン１１を中心として所定の角度範囲だけ回動できるように構成されている。斯くして、前記脚部２と前記手すり部４とのなす角度βを変更することにより、該手すり部４の水平方向に対する傾斜角θを任意に調整することができる。
【００３９】
上記構成において、図１に示すように、前記手すり１の傾斜角θは、据え付け部Ｂの傾斜度δと適合するように自由に調整できる。又、前記手すり部４に対する前記脚部２の固定位置は、据え付け部Ｂの設計寸法等と適合するように自由に調整できる。尚、本実施例では、前記脚部２に対する前記手すり部４の角度βは、約８度乃至９０度の範囲で任意に調整可能である（図５参照）。従って、前記手すり部４の角度を適宜調整することにより、据え付け部Ｂの傾斜度δに対応して前記手すり１の傾斜角θを一致させることができ、前記手すり１の据え付け作業を従来に比べて容易に実行することができる。
【００４０】
本実施の形態によれば、前記脚部２に対して前記手すり部４の角度βを任意に調整でき，且つ、前記手すり部４に対して前記脚部２の固定位置も同様に任意に調整できるので、据え付け部Ｂの傾斜度δ等に応じて、該手すり部４の傾斜角θ及び前記脚部２の固定位置を、施工現場において簡便に変更調整して据え付けることができる。
【００４１】
更に、据え付け部Ｂに立設される前記脚部２の地上高さについては、前記脚部２下部の固定位置の深さ等を適宜変更することにより、複数の各脚部２の地上高さを所望の高さに設定できるので、前記手すり１の傾斜角θを変更する際は、各脚部２の地上高さを適宜変更して該手すり１を据え付けることができる。
【００４２】
斯くして、各施工現場の据え付け条件に応じて、前記手すり部４の傾斜角θ並びに前記脚部２の据え付け位置及び地上高さを各施工現場に対応して容易迅速に変更設定することができる。即ち、上記手すり１は、前記手すり部４の傾斜角θ等の据え付け条件の異なる各施工現場において幅広く対応でき、据え付け施工の自由度が格段に向上する。従って、該手すり１は、各現場施工での据え付け作業が向上すると共に、該手すり１のユニット製品化が可能になり、予め工場において安価に量産でき、従来に比べて大幅な納期短縮が図れる。
【００４３】
尚、本発明は、本発明の精神を逸脱しない限り種々の改変を為すことができ、そして、本発明が該改変されたものに及ぶことは当然である。
【図面の簡単な説明】
【００４４】
【図１】本発明の一実施の形態に係る手すりを示す正面図。
【図２】本発明の一実施の形態に係る手すりを玄関階段に据え付けた施工例を示す斜視図。
【図３】本発明の一実施の形態に係る摺動子とレール部との嵌合状態を示す一部破断断面図。
【図４】本発明の一実施の形態に係る脚部と摺動子との連結構造を示す正面図。
【図５】本発明の一実施の形態に係る手すり部に対する脚部の回動範囲を説明する正面図。
【図６】本発明の一実施の形態に係る連結部材を示す正面図。
【図７】図６のＡ−Ａ線に沿った断面図。
【符号の説明】
【００４５】
１      手すり
２      脚部
３      摺動子
４      手すり部
５      装飾湾曲部
６      レール部
６ａ    凹溝
６ｂ    凹溝
７ａ    摺動子片
７ｂ    摺動子片
８ａ    嵌合部
８ｂ    嵌合部
９      ボルト
１０    保護キャップ
１１    水平ピン
１２    コイルスプリング
１３    連結部材
１４ａ  連結片
１４ｂ  連結片
１５ａ  嵌合部  
１５ｂ  嵌合部  
１６    ボルト
【図１】
2005314990.tif 000003
【図２】
2005314990.tif 000004
【図３】
2005314990.tif 000005
【図４】
2005314990.tif 000006
【図５】
2005314990.tif 000007
【図６】
2005314990.tif 000008
【図７】
2005314990.tif 000009